(57)【要約】【課題】  アラミドFRP筋コンクリート構造物のもつ性能を低下させることなく本来の機能を十分発揮させる機器固定用の電気絶縁アンカーボルトを提供する。【解決手段】  アラミドFRP筋を使用した機器固定用のアンカーボルトにおいて、当該アンカーボルトはアラミドFRP筋アンカー芯材１と上部外周にネジが切られたネジ部２ａを有するサヤ管２の二つの部分からなっており、上記アラミドFRP筋アンカー芯材１の上部は、上記サヤ管２に挿入され、下部は上記サヤ管２の下端から下方へ突出しており、そして上記サヤ管２及びアラミドFRP筋アンカー芯材１は、サヤ管２の上部を残してコンクリート構造物に埋め込まれるが、そのコンクリート内に埋め込まれるサヤ管２の部分は第１絶縁層６及び第２絶縁層７によって被覆されている。【選択図】  図２ 
0003108318.tif 000002
【実用新案登録請求の範囲】
【請求項１】
アラミド繊維補強筋を使用したコンクリート構造物に使用する機器固定用のアンカーボルトにおいて、当該アンカーボルトはアラミド繊維補強筋アンカー芯材と上部外周にネジ部を有するサヤ管の二つの部分からなり、上記アラミド繊維補強筋アンカー芯材の上部は、上記サヤ管に挿入され、下部は当該サヤ管の下端から下方へ突出しており、上記サヤ管のコンクリート内に埋めこまれる部分が絶縁層によって被覆されていることを特徴とする、電気絶縁アンカーボルト。
【請求項２】
前記サヤ管のネジ部の下端部に先着けナットを螺着し、この先着けナットの上のサヤ管のネジ部に、プレートを、コンクリート構造物のコンクリートの上面に位置するように、自体の孔を挿入してかぶせ、さらにそのプレートの上のサヤ管のネジ部に固定用ナットを着脱自在に螺着したことを特徴とする、請求項１記載の電気絶縁アンカーボルト。
【請求項３】
前記サヤ管のネジ部の下端部からアラミド繊維補強筋アンカー芯材に接するまでサヤ管の外周を第１絶縁層で被覆し、上記ネジ部の下端部に上記先着けナットを螺着し、かつこの先着けナットの上のネジ部にプレートを載置した後、このプレートの下面、先着けナットの外周及び上記第１絶縁層の上部まで、第２絶縁層で被覆したことを特徴とする、請求項２記載の電気絶縁アンカーボルト。
【請求項４】
絶縁層としてアラミド繊維シートが貼付されていることを特徴とする、請求項１、２及び３のいずれかに記載の電気絶縁アンカーボルト。
【考案の詳細な説明】
【技術分野】
【０００１】
この考案は、強化プラスチック筋を使用したコンクリート構造物、特に電気的に絶縁されたコンクリート構造物に使用する機器固定用のアンカーボルトに関するものである。
【背景技術】
【０００２】
従来のコンクリート構造物は補強筋に使用している鉄筋の導電性や磁性から、雷や電気ノイズによる誘導・伝導障害、迷走電流による電食障害、残留磁気による障害が顕在化している。
【０００３】
近年はこのような障害を防止するために鉄筋の代替として非導電・非磁性のアラミド繊維補強筋（以下、アラミドFRP筋）を使用したコンクリート構造物も建造されている。
【０００４】
しかし、このような非導電・非磁性のアラミドFRP筋コンクリート構造物に使用する機器固定用のアンカーボルトとしては図３に示すように鋼製のアンカーボルトが使用されている。即ち、図３は、アラミドFRP筋８を埋め込んだコンクリート構造物１０を示したものであり、このコンクリート構造物１０に鋼製のアンカーボルト９を埋設しており、この鋼製のアンカーボルト９によりコンクリート構造物１０の上に鉄塔等の機器を固定するものである。
【特許文献１】特許第３０７２０２０号公報
【考案の開示】
【考案が解決しようとする課題】
【０００５】
この鋼製アンカーボルトは、金属の持つ導電性・磁性により、アラミドFRP筋コンクリート構造物の優れた電気・磁気的な障害防止性能を低下させることとなっている。
【０００６】
そこでこの考案は、このようなアラミドFRP筋コンクリート構造物のもつ性能を低下させることなく本来の機能を十分発揮させるため機器固定用として電気絶縁アンカーボルトを考案した。
【課題を解決するための手段】
【０００７】
請求項１記載の考案は、アラミドFRP筋を使用した機器固定用のアンカーボルトであり、アラミドFRP筋アンカー芯材と上部外周にネジが切られたネジ部を有するサヤ管の二つの部分からなっており、上記アラミドFRP筋アンカー芯材の上部は、上記サヤ管に挿入され、下部は上記サヤ管の下端から下方へ突出しており、そして上記サヤ管及びアラミドFRP筋アンカー芯材は、サヤ管の上部を残してコンクリート構造物に埋め込まれるが、そのコンクリート内に埋め込まれるサヤ管の部分は絶縁層によって被覆されている、電気絶縁アンカーボルトとした。
【０００８】
請求項２記載の考案は、請求項１に記載の考案のサヤ管のネジ部の下端部に先着けナットを螺着し、この先着けナットの上のサヤ管のネジ部に、プレートを、コンクリート構造物のコンクリートの上面に位置するように、自体の孔を挿入してかぶせ、さらにそのプレートの上のサヤ管のネジ部に固定用ナットを着脱自在に螺着した、電気絶縁アンカーボルトとした。
【０００９】
請求項３記載の考案は、請求項２に記載の考案のサヤ管のネジ部の下端部からアラミドFRP筋アンカー芯材に接するまで、サヤ管の外周を第１絶縁層で被覆し、上記ネジ部の下端部に上記先着けナットを螺着し、かつこの先着けナットの上のネジ部にプレートを載置した後、このプレートの下面、先着けナットの外周及び上記第１絶縁層の上部まで、第２絶縁層で被覆した、電気絶縁アンカーボルトとした。
【００１０】
請求項４記載の考案は、上記請求項１、２及び３のいずれかに記載の考案において絶縁層としてアラミド繊維のシートを用いたものである。
【考案の効果】
【００１１】
この考案の請求項１及び２記載のアンカーボルトによれば、サヤ管のコンクリート内に埋め込まれる部分が絶縁層によって被覆されていることにより、アラミドFRP筋コンクリート構造物のもつ電気・磁気的な障害防止性能を低下させることなく、本来の機能を十分発揮させることができる。また従来の鋼製のアンカーボルトに比べて、この考案ではアラミドFRP筋を用いているため軽量化ができ、アンカーボルト据付工事の施工効率も向上する。さらに、この考案はアラミドFRP筋製のアンカー芯材と鋼製のサヤ管によって主として構成されているため、アンカーボルトに作用する引き抜き力やせん断力に十分耐えうるものであり、経年劣化も少ない、という特徴を有する。
【００１２】
この考案の請求項３記載のアンカーボルトによれば、サヤ管のコンクリート内に埋め込まれる部分が第１絶縁層と第２絶縁層の２つで満遍なく被覆されることにより、絶縁層による絶縁効果を一層確実なものとすることができる。
【００１３】
この考案の請求項４記載のアンカーボルトによれば、絶縁層としてアラミド繊維のシートを用いているため、軽量であり絶縁効果は確実なものとなる。
【考案を実施するための最良の形態】
【００１４】
アラミドFRP筋を使用したコンクリート構造物に使用する機器固定用のアンカーボルトを、アラミドFRP筋アンカー芯材と上部外周にネジが切られたネジ部を有するサヤ管の二つの部分から構成し、上記アラミドFRP筋アンカー芯材の上部は、上記サヤ管に挿入され、下部は上記サヤ管の下端から下方へ突出させ、上記サヤ管のネジ部の下端部からアラミドFRP筋アンカー芯材に接するまでサヤ管の外周を第１絶縁層で被覆し、上記ネジ部の下端部に先着けナットを螺着し、かつこの先着けナットの上のネジ部に、機器等を載置するプレートを、コンクリート構造物のコンクリートの上面に位置するように自体の孔に挿入してかぶせた後、このプレートの下面、先着けナットの外周及び上記第１絶縁層の上部まで、第２絶縁層で被覆し、それから上記プレートの上のサヤ管のネジ部に固定用ナットを着脱自在に螺着する構成とすることにより、アラミドFRP筋コンクリート構造物のもつ電気・磁気的な障害防止性能を低下させることなく、本来の機能を十分発揮させることができる。
【実施例１】
【００１５】
以下、この考案の実施例を図面に基づいて説明する。
図１はこの考案の実施例１のアンカーボルトの側面図、図２は同断面図を示し、当該アンカーボルトは、アラミドFRP筋アンカー芯材１とサヤ管２の２つの部分よって構成されている。
【００１６】
アラミドFRPアンカー芯材１は、コンクリート内に埋め込まれるものであり、アラミドFRP筋コンクリート構造物の性能を維持するために、一定径の棒状のアラミドFRP筋でできており、さらにコンクリートとの付着力を増加させるため表面に珪砂が満遍なく付着されている（図示省略）。
【００１７】
サヤ管２は、アラミドFRP筋アンカー芯材１を結合する役割を果たすものであり、機械的強度を確保するため鋼製とし、かつボルトとしての機能を持たせるためサヤ管２の上部外周に、ネジが切られたネジ部２aを有している。
【００１８】
アラミドFRP筋アンカー芯材１とサヤ管２の結合は、エポキシ系樹脂によりおこなう。具体的にいうと例えば、アラミドFRP筋アンカー芯材１の上部の、サヤ管２に挿入する外周部分にエポキシ系樹脂を塗布し、サヤ管２に挿入して接着する。接着剤としてエポキシ系樹脂を用いるのは、エポキシ系樹脂が電気絶縁性に優れ、金属への密着性にも優れているからである。
【００１９】
図１及び２ではアラミド繊維のシートに被覆されているが、このネジ部２aの下端部に先着けナット３が螺着されており、この先着けナット３の上のサヤ管２のネジ部２aに、プレート４を、コンクリート構造物のコンクリート上面に位置するように、プレート４自体の孔に挿入してかぶせられ、このプレート４の上のサヤ管２のネジ部２aに固定用ナット５が重ねて２つ、着脱自在に螺着されている。この先着けナット３、固定用ナット５及びプレート４は鋼製が望ましいが、金属製であればよい。
【００２０】
また図１及び２では、プレート４の上のサヤ管２のネジ部２aに固定用ナット５が重ねて２つ螺着されている。２つのナットを重ねて螺着するのはナットのゆるみ止めのためである。
【００２１】
また上記サヤ管２のネジ部２ａの下端部からアラミドFRP筋アンカー芯材１に接するまでの外周は第１絶縁層６としてアラミド繊維のシートで被覆され、上記プレート４の下面、先着けナット３の外周及び上記第１絶縁層６の上部まで、第２絶縁層７としてアラミド繊維のシートで被覆されている。更にこのアラミド繊維で被覆されている部分は、コンクリートとの付着力を増大させるため表面に珪砂が満遍なく付着されている（図示省略）。このアラミド繊維のシートで鋼製のサヤ管２のコンクリートに埋め込まれる部分及び先着けナット３を被覆することにより絶縁効果を得ることができるわけである。
【００２２】
また、サヤ管２をアラミド繊維で被覆する方法は、サヤ管２にアラミド繊維製のシートを巻きつけてその上から樹脂コーティングを施すものである。この場合、エポキシ系樹脂でコーティングするのが望ましい。上述したようにエポキシ系樹脂は電気絶縁性に優れ、金属への密着性にも優れているからである。しかしながらこの考案では、上記第１絶縁層６、及び第２絶縁層７は、上述の構成に限らず、適宜の絶縁層を設ければよい。
【図面の簡単な説明】
【００２３】
【図１】この考案の実施例１のアンカーボルトを示す側面図である。
【図２】この考案の実施例１のアンカーボルトを示す断面図である。
【図３】従来の鋼製のアンカーボルトを用いたコンクリート構造物の概念構成図である。
【符号の説明】
【００２４】
１．アラミドFRP筋アンカー芯材、  ２．サヤ管、  ２ａ. ネジ部
３．先着けナット、  ４．プレート、  ５．固定用ナット
６．アラミド繊維シートで被覆された第一絶縁層
７．アラミド繊維シートで被覆された第二絶縁層
８．アラミドFRP筋、  ９．鋼製のアンカーボルト
１０．コンクリート構造物
【図１】
0003108318.tif 000003
【図２】
0003108318.tif 000004
【図３】
0003108318.tif 000005